(57)【要約】      （修正有）【課題】手提げ紐を肩に掛けるタイプの袋体と，手提げタイプの袋体とを自由に使い分けることができる袋体を提供する。【解決手段】本発明の袋体１００は，上部に開口部１１を有する袋本体１０と，少なくとも１つの紐状部材２０を有している。袋本体１０は，所定距離離間した２つの紐取付部１２，１３と，２つの紐取付部１２，１３の間に設けられたスリット１４を有している。紐状部材２０は，２つの紐取付部１２，１３を介して袋本体１０に取付けられた状態では，袋本体１０の開口部１１の上方に，少なくとも１つの大ループを形成する。また，紐状部材２０は，２つの紐取付部１２，１３を介して袋本体１０に取付けられ，かつスリット１４に一部を挿通した状態では，袋本体１０の開口部１１の上方に，少なくとも１つの小ループ２２を形成する。【選択図】図３
2014064813.tif 000002
【特許請求の範囲】
【請求項１】
上部に開口部を有する袋本体と，少なくとも１つの紐状部材を有し，
前記袋本体は，
所定距離離間した２つの紐取付部と，
前記２つの紐取付部の間に設けられたスリットと，を有し，
前記紐状部材は，
前記２つの紐取付部を介して前記袋本体に取付けられた状態では，前記袋本体の前記開口部の上方に，少なくとも１つの大ループを形成し，
前記２つの紐取付部を介して前記袋本体に取付けられ，かつ前記スリットに一部を挿通した状態では，前記袋本体の前記開口部の上方に，少なくとも１つの小ループを形成する
手提げ紐付き袋体。
【請求項２】
前記スリットの両端部分には，中間部よりも，開口面積の広がった幅広孔部が設けられている
請求項１に記載の手提げ紐付き袋体。
【請求項３】
前記袋本体は，少なくとも，前後一対の長側面により袋状を形成しており，
前記２つの紐取付部及び前記スリットは，前記前後一対の長側面のそれぞれに，設けられている
請求項１又は請求項２に記載の手提げ紐付き袋体。
【請求項４】
前記スリットは，前記袋本体の下方に向かって突出するように屈折したＶ字形状である
請求項１から請求項３のいずれかに記載の手提げ紐付き袋体。
【発明の詳細な説明】
【技術分野】
【０００１】
本発明は，手提げ紐付き袋体に関する。具体的に説明すると，本発明は，２つの紐取付部の間にスリットを設け，このスリットに紐状部材を挿通することにより，手提げ紐の長さを自由に変更することができる手提げ紐付き袋体に関するものである。
【背景技術】
【０００２】
従来から，袋本体の開口部の上方に手提げ紐を設けた袋体として，手提げ紐を肩に掛けるタイプのものや，手提げ紐を手持ちするタイプのものが知られている。手提げ紐を肩に掛けるタイプの袋体は，袋体の開口部を大きく形成するとともに，手提げ紐の全長を長く形成することにより手提げ紐の輪（ループ）の開口面積を大きくし，腕を挿入する空間を形成するものが一般的である。このような構造を有することで，手提げ紐を肩に掛けるタイプの袋体は，多量の収納物を運搬する際に生じる重量負荷を軽減することができる。また，手提げ紐を手持ちするタイプの袋体は，手持ちしたときに袋体の底面が地面に接しないように，手提げ紐の全長を比較的短く形成している。
【０００３】
具体的には，手提げ紐を肩に掛けるタイプの袋体として，例えば図９（ａ）に示す形態を有する袋体が知られている。図９（ａ）に示される袋体は，前後一対の長側面，左右一対の短側面，及び前後一対の長側面を一枚に綴じる底面より構成され，一対の長側面の上部両端寄りの位置に手提げ紐が取付けられている。また，手提げ紐を手持ちするタイプの袋体としては，図９（ｂ）及び図９（ｃ）に示す形態を有する袋体が知られている。図９（ｂ）に示される袋体は，前後一対の長側面，左右一対の短側面，及び前後一対の長側面と左右一対の短側面に連接する底面より構成され，一対の長側面の上部中央寄りの位置に手提げ紐が取付けられている。また，図９（ｃ）に示される袋体は，前後一対の長側面より構成され，一対の長側面の上部中央寄りの位置に手提げ紐が取付けられている。
【０００４】
ところで，手提げ紐を肩に掛けるタイプの袋体を使用している時であっても，袋体の使用者は，手提げ紐を握り，手提げタイプの袋体として使用する場合もある。反対に，手提げ紐を手持ちするタイプの袋体であっても，収納物の重量が重い場合等には，手提げ紐を肩に掛けて使用する場合がある。しかし，手提げ紐を肩に掛けるタイプの袋体では，手提げ紐の全長が長く形成されているために，手提げ紐が持ちづらく運搬に不便であるという問題があった。また，手提げ紐自体の長さは予め定められていることが多く，手提げタイプの袋体を肩に掛けて使用しようとする場合には，手提げ紐の長さを長くすることができず，手提げ紐そのものを取り換えなければならないという問題があった。
【０００５】
上記の問題を解決するための袋体としては，袋体の中央部に持ち手を設け，袋体の上半分を袋体の下部の中に折り入れる袋体が提案されている（特許文献１）。特許文献１の袋体は，収納物が小さいときには袋体の上半分を袋体中央部で折りたたみ，袋体そのものを小さくする。そして，袋体中央部に設けた持ち手を握ることで，手提げタイプの袋体として使用することができる。このように，特許文献１の袋体は，手提げ紐を肩に掛けるタイプの袋体と手提げタイプの袋体とを，収納物の量に応じて変形することができる。
【先行技術文献】
【特許文献】
【０００６】
【特許文献１】特開２００５−２８８１４１号公報
【発明の概要】
【発明が解決しようとする課題】
【０００７】
しかしながら，特許文献１に記載の袋体は，袋体の上半分を袋体中央部で折りたたまなければ，手提げタイプの袋体として使用することができない。このため，手提げタイプの袋体を使用するに際しては袋体の大きさを変えなければならないという問題があった。すなわち，手提げタイプの袋体を使用するに際しては袋体の収納量を減らさなければならないという問題があった。
【０００８】
このため，現在では，手提げ紐を肩に掛けるタイプと手提げタイプとを，手提げ紐を取り換えずに，しかも袋体の収納量を変えることなく使い分けることのできる袋体が求められている。
【課題を解決するための手段】
【０００９】
そこで，本発明の発明者は，上記の従来発明の問題点を解決する手段について鋭意検討した結果，２つの紐取付部の間にスリットを設け，このスリットに紐状部材を挿通して手提げ紐の長さを変更することにより，袋体の掛け方を自由に変えることができるという知見を得た。そして，本発明者は，上記知見に基づけば，従来技術の課題を解決できることに想到し，本発明を完成させた。
具体的に本発明は，以下の構成を有する。
【００１０】
本発明は，上部に開口部１１を有する袋本体１０と，少なくとも１つの紐状部材２０を有する手提げ紐付袋体に関するものである。
袋本体１０は，所定距離離間した２つの紐取付部１２，１３と，２つの紐取付部１２，１３の間に設けられたスリット１４と，を有する。
【００１１】
ここで，紐状部材２０は，袋本体１０に取付けられることで，開口部１１の上方に突出して手提げ紐としての機能を果たすループを形成する。
紐状部材２０を２つの紐取付部１２，１３を介して袋本体１０に取付けた状態では，紐状部材２０を開口部１１の上方へ引っ張ると，２つの紐取付部１２，１３を起点にループが形成される。このため，開口部１１の上方に突出するループの開口面積を大きくとることができる。
一方，紐状部材２０を２つの紐取付部１２，１３を介して袋本体１０に取付け，かつスリット１４に一部を挿通した状態では，スリット１４に挿通した紐状部材２０を開口部１１の上方へ引っ張ると，スリット１４の両端部分を起点にループが形成される。このため，２つの紐取付部１２，１３からスリット１４の両端部分までの距離だけ，開口部の上方に突出するループの長さが短くなる。すなわち，紐状部材２０が２つの紐取付部１２，１３を介して袋本体１０に取付けられた状態と比べ，開口部の上方に突出するループの開口面積が小さくなる。
【００１２】
このように，紐状部材２０は，２つの紐取付部１２，１３を介して袋本体１０に取付けられた状態では，袋本体１０の開口部１１の上方に大ループ２１を形成する。
一方，紐状部材２０は，２つの紐取付部１２，１３を介して袋本体１０に取付けられ，かつスリット１４に一部を挿通した状態では，袋本体１０の開口部１１の上方に小ループ２２を形成する。
【００１３】
上記のような構成を有することにより，本発明によれば，スリット１４に紐状部材２０を挿通し，スリット１４に挿通した紐状部材２０を開口部１１の上方へ引っ張ることでループの長さを変更することができる。このため，本発明によれば，紐状部材２０を取り換えることなく手提げ紐の長さを変更することができ，手提げ紐を肩に掛けるタイプの袋体と手提げタイプの袋体とを自由に使い分けることができる。
【００１４】
本発明において，スリット１４の両端部分には，中間部１４ａよりも，開口面積の広がった幅広孔部１４ｂ，１４ｃが設けられていることが好ましい。
【００１５】
スリット１４の両端部においてこのような幅広孔部１４ｂ，１４ｃを設けることにより，スリット１４に挿通した紐状部材２０を開口部１１の上方へ引っ張った際に，小ループ２２の起点がずれにくくなる。このため，小ループ２２の保形性を高めることができる。
【００１６】
本発明において，袋本体１０は，少なくとも，前後一対の長側面１０ａ，１０ｂにより袋状を形成していることが好ましい。また，本発明において，２つの紐取付部１２，１３及びスリット１４は，前後一対の長側面１０ａ，１０ｂのそれぞれに，設けられていることが好ましい。
【００１７】
上記のような構成を有することにより，紐状部材２０を２つのスリット１４，１４’に挿通し，小ループ２２，２２’を２つ形成することができる。このため，収納物を運搬する際の袋体の安定性を高めることができる。また，紐状部材２０を対向する長側面のスリット１４’，１４に更に挿通することができる。このため，対向するスリット１４’，１４に挿通した紐状部材２０を開口部１１の上方へ引っ張った際に，スリット１４’，１４間の緩みがなくなり，開口部１１を閉じることができる。このため，収納物が袋体から飛び出す事態を防ぐことができる。
【００１８】
本発明において，スリット１４は，袋本体１０の下方に向かって突出するように屈折したＶ字形状であることが好ましい。スリット１４をこのようなＶ字形状とすることにより，スリット１４に挿通した紐状部材２０を開口部１１の上方へ引っ張った際に，小ループ２２の起点がＶ字形状の両端部分で留まり，紐状部材２０がスリット１４から外れにくくなる。このため，小ループの保形性を高めることができる。
【発明の効果】
【００１９】
本発明は，手提げ紐を肩に掛けるタイプと手提げタイプとを，手提げ紐を取り換えずに，しかも袋体の収納量を変えることなく使い分けることのできる袋体を提供できる。
【図面の簡単な説明】
【００２０】
【図１】図１は，紐状部材が大ループを形成する第１形態を示す斜視図である。
【図２】図２は，紐状部材が大ループを形成する第１形態を示す平面図である。
【図３】図３は，紐状部材がスリットに挿通され，小ループを形成する第２形態を示す斜視図である。
【図４】図４は，紐状部材がスリットに挿通され，小ループを形成する第２形態を示す平面図である。
【図５】図５は，紐状部材が対向する長側面のスリットに挿通され，小ループを形成する第３形態を示す斜視図である。
【図６】図６は，紐状部材が対向する長側面のスリットに挿通され，小ループを形成する第３形態を示す平面図である。
【図７】図７は，スリットの形状を表す概略図である。
【図８】図８は，本発明の袋体の使い分けを示す概略図である。
【図９】図９は，従来における手提げ紐を肩に掛けるタイプの袋体の形状を表す概略図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
【００２２】
（１．袋体の構成）
まず，図面を参照して，本発明の袋体１００の構成を説明する。
図１に示されるように，本発明の袋体１００は，上部に開口部１１を有する袋本体１０と，紐状部材２０を有する。袋本体１０は，所定距離離間した２つの紐取付部１２，１３と，２つの紐取付部１２，１３の間に設けられたスリット１４と，を有する。
【００２３】
袋本体１０の素材は特に限定されず，収納物を多量に入れても袋本体１０が破損しない程度の耐重強度を有するものであれば，種々の素材を採用することができる。袋本体１０の素材の例としては，紙，プラスチック，不織布，織布，皮革及びこれらを単独あるいは２種以上を組み合わせて積層したシート状の各種素材を用いることが出来る。また，袋本体１０の形状は特に限定されず，図示するような縦長の矩形状であってもよく，横長の矩形状であってもよく，略正方状であってもよく，台形状であってもよい。
【００２４】
図１に示された例では，袋本体１０は，前後一対の長側面１０ａ，１０ｂ，左右一対の短側面１０ｃ，１０ｄ，及び底面１０ｅから構成されている。ただし，袋本体１０は，少なくとも，前後一対の長側面１０ａ，１０ｂにより袋状を形成していればよい。左右一対の短側面１０ｃ，１０ｄを設ける場合，図１に示されるように，袋体１０の短側面１０ｃ，１０ｄは，縦方向に延びる折線に沿って内折にされていることが好ましい。底面１０ｅを設ける場合，図１に示されるように，前後一対の長側面１０ａ，１０ｂを１枚に綴じる形状であってもよく，前後一対の長側面１０ａ，１０ｂ及び左右一対の短側面１０ｃ，１０ｄに連接する平面を設ける形状であってもよい。
【００２５】
図１に示されるように，袋本体１０の開口部１１は，前後一対の長側面１０ａ，１０ｂ及び左右一対の短側面１０ｃ，１０ｄの上縁辺から延出した折り返し部を含むものであってもよい。折り返し部を設けることにより，袋体１０の上部に設けた２つの紐取付部１２，１３及びスリット１４を，二重の素材で形成することができる。このため，袋本体１０の耐重強度を高めることができ，多量の収納物を運搬する場合においても袋本体１０が破れにくくなる。折り返し部は，開口部１１の内側に向かって折り返されてもよく，開口部１１の外側に向かって折り返されてもよい。
【００２６】
本実施形態において，紐状部材２０は１本の紐により形成されている。紐状部材２０として１本の紐を用いた場合，例えば紐取付部を孔により設けたうえで，一円となるように紐を紐取付部に挿通し，最後に紐の両端を結合すればよい。このような一本の紐を用いる取り付け方法を採用すると，紐の末端の結合が一箇所のみの処理で行えるため，製造工程を簡略にする事が出来る好ましい態様である。なお，紐状部材は２本であってもよい。紐状部材２０として２本の紐を用いた場合，例えば前後一対の長側面１０ａ，１０ｂのそれぞれに設けた２つ紐取付部１２，１３，１２’，１３’に，紐を１本ずつ固定すればよい。
【００２７】
２つの紐取付部１２，１３は，紐状部材２０を袋本体１０に固定するための部分である。２つの紐取付部１２，１３に固定した紐状部材２０を開口部１１上方へ引っ張ることで，２つの紐取付部１２，１３を起点にループを形成することができる。２つの紐取付部１２，１３による紐状部材２０の固定方法は特に限定されない。２つの紐取付部１２，１３は，例えば紐状部材２０を挿通するための孔であってもよく，紐状部材２０を熱融着した部分であってもよく，紐状部材２０を超音波融着した部分であってもよい。また，２つの紐取付部１２，１３は，スリット１４をその間に設けるため，一方の紐取付部１２から他方の紐取付部１３まで所定距離離間しておくことが好ましい。一方の紐取付部１２と他方の紐取付部１３とを離間する距離は，好ましくは３５ｃｍ〜５０ｃｍであり，更に好ましくは４０ｃｍ〜４５ｃｍである。
【００２８】
スリット１４は，紐状部材２０を挿通するための横長の開口であり，２つの紐取付部１２，１３の間に設けられている。スリット１４に挿通した紐状部材２０を開口部１１上方へ引っ張ることで，スリット１４の両端部分を起点にループを形成することができる。
【００２９】
図１に示されるように，スリット１４には，中間部１４ａよりも開口面積の広がった幅広孔部１４ｂ，１４ｃを両端部分に設けることが好ましい。幅広孔部１４ｂ，１４ｃの形状は，図１に示されるような円状の孔であってもよく，半円状の孔であってもよい。また，スリット１４は，袋本体１０の下方に向かって突出するように屈折したＶ字形状であることが好ましい。スリット１４を上記のような構成とすることで，紐状部材２０をスリット１４に挿通した場合における小ループ２２の保形性を高めることができる。この点については後述する。
【００３０】
２つの紐取付部１２，１３及びスリット１４は，図１に示すように袋本体１０の袋本体１０の上部に設けることが好ましい。２つの紐取付部１２，１３及びスリット１４を袋本体１０の上部に設けることで，袋本体１０の開口部１１から折り返し部を設けるとともに，２つの紐取付部１２，１３及びスリット１４を二重の素材で形成することができる。ただし，２つの紐取付部１２，１３及びスリット１４を設ける位置は特に限定されず，例えば袋本体１０の中部や下部に設けてもよい。また，２つの紐取付部１２，１３及びスリット１４を設ける位置に応じて，紐状部材２０の長さを変えてもよい。また，２つの紐取付部１２，１３及びスリット１４の垂直位置が下がるのに応じて，２つの紐取付部１２，１３及びスリット１４の水平位置を中央寄りにしてもよい。
【００３１】
２つの紐取付部１２，１３及びスリット１４は，図１に示すように略直線上に設けることが好ましい。ただし，本発明においては，スリット１４に挿通した紐状部材２０を引っ張った際に開口部１１の上方にループが形成されればよく，２つの紐取付部１２，１３に対するスリット１４の相対位置は特に限定されない。例えば，スリット１４を２つの紐取付部１２，１３よりも低く設けてもよいし，２つの紐取付部１２，１３よりも高く設けてもよい。
【００３２】
図１に示されるように，２つの紐取付部１２，１３及びスリット１４は，前後一対の長側面１０ａ，１０ｂのそれぞれに設けられていることが好ましい。前後一対の長側面１０ａ，１０ｂのそれぞれに２つの紐取付部１２，１３，１２’，１３’及びスリット１４，１４’を設けることにより，紐状部材２０をそれぞれのスリット１４，１４’に挿通し，小ループ２２，２２’を２つ形成することができる。また，紐状部材２０を対向する長側面のスリット１４’，１４にそれぞれ挿通することができる。この点については後述する。ただし，２つの紐取付部１２，１３及びスリット１４は少なくとも１つ設けられていればよく，前後一対の長側面１０ａ，１０ｂのいずれかに設けられていればよい。
【００３３】
（２．第１形態）
次に，紐状部材２０が大ループ２１を形成する，本発明の第１形態を説明する。図１は，本発明の第１形態を示す斜視図である。また，図２は，本発明の第１形態を示す平面図である。
【００３４】
図１及び図２に示されるように，本発明の第１形態では，紐状部材２０を２つの紐取付部１２，１３を介して取り付け，かつ，スリット１４に挿通しない状態とする。このような状態では，紐状部材２０を開口部１１の上方へ引っ張ると，２つの紐取付部１２，１３を起点としてループが形成される。このため，本発明の第１形態では，開口部の上方に突出するループの開口面積を大きくとることができる。すなわち，本発明の第１形態では，紐状部材２０が，開口部１１の上方に大ループ２１を形成する。
【００３５】
図１及び図２に示されるように，紐状部材２０は，前後一対の長側面１０ａ，１０ｂのそれぞれに設けられた２つの紐取付部１２，１３，１２’，１３’を介して取り付けられていることが好ましい。このように２つの紐取付部を２組設けることにより，２つの大ループ２１，２１’を形成することができる。このため，収納物を運搬する際の袋体の安定性を高めることができる。ただし，袋体を肩に掛けて使用するためには，紐状部材２０は大ループ２１を少なくとも１つ形成すればよい。
【００３６】
以上のように，本発明の第１形態においては，紐状部材２０が開口部１１の上方に大ループ２１を形成する。そして，大ループ２１に腕を挿入することにより，袋体１００を，手提げ紐を肩に掛けるタイプの袋体として使用することができる。
【００３７】
（３．第２形態）
次に，紐状部材２０が小ループ２２を形成する，本発明の第２形態を説明する。図３は，本発明の第２形態を示す斜視図である。また，図４は，本発明の第２形態を示す平面図である。
【００３８】
図３及び図４に示されるように，本発明の第２形態では，紐状部材２０を２つの紐取付部１２，１３を介して取り付け，かつスリット１４に挿通した状態とする。このような状態では，スリット１４に挿通した紐状部材２０を開口部１１の上方へ引っ張ることで，スリット１４の両端部分を起点としてループが形成される。このため，本発明の第２形態では，２つの紐取付部１２，１３からスリット１４の両端部分までの距離だけ，開口部の上方に突出するループの長さを短くすることができる。すなわち，本発明の第１形態と比べ，開口部の上方に突出するループの開口面積を小さくすることができる。このように，本発明の第２形態では，スリット１４に挿通した紐状部材２０が，開口部１１の上方に小ループ２２を形成する。
【００３９】
上記のように，本発明の第２形態では，２つの紐取付部１２，１３からスリット１４の両端部分までの距離を利用して，開口部の上方に突出するループの長さを短くする。したがって，２つの紐取付部１２，１３からスリット１４の両端部分まで所定距離離間しておくことが好ましい。２つの紐取付部１２，１３とスリット１４の両端部分とを離間する距離は，好ましくは１２ｃｍ〜１５ｃｍであり，更に好ましくは１３ｃｍ〜１４ｃｍである。
【００４０】
図３及び図４に示されるように，紐状部材２０は，前後一対の長側面１０ａ，１０ｂのそれぞれに設けられたスリット１４，１４’に挿通されることが好ましい。このようにスリットを２組設けることにより，２つの小ループ２２，２２’を形成することができる。このため，収納物を運搬する際の袋体の安定性を高めることができる。ただし，袋体を手に提げて使用するためには，紐状部材２０は小ループ２２を少なくとも１つ形成すればよい。
【００４１】
以上のように，本発明の第２形態では，スリット１４に挿通した紐状部材２０が，開口部１１の上方に小ループ２２を形成する。そして，小ループ２２を握ることにより，袋体１００を手提げタイプの袋体として使用することができる。
【００４２】
本発明の第２形態において，図３及び図４に示されるようにスリット１４の両端部に幅広孔部１４ｂ，１４ｃを設けた場合，スリット１４に挿通した紐状部材２０を開口部１１の上方へ引っ張った際に，小ループ２２の起点をずれにくくすることができる。また，スリット１４を袋本体１０の下方に向かって突出するように屈折したＶ字形状とした場合，小ループ２２の起点をＶ字形状の両端で留めることができる。スリット１４を上記のような構成とすることにより，小ループ２２の保形性を高めることができる。このため，例えば袋体を手に提げて収納物を運搬している場合でも，袋体の安定性を高めることができる。
【００４３】
（４．第３形態）
次に，紐状部材２０が対向する長側面のスリットに挿通され小ループを形成する，本発明の第３形態を説明する。図５は，本発明の第３形態を示す斜視図である。また，図６は，本発明の第３形態を示す平面図である。
【００４４】
図５及び図６に示されるように，本発明の第３形態では，紐状部材２０を，２つの紐取付部１２，１３を介して取り付け，スリット１４に挿通し，かつ対向するスリット１４’に更に挿通した状態とする。このような状態では，対向するスリット１４’に挿通した紐状部材２０を開口部１１の上方へ引っ張ることで，対向するスリット１４’の両端部分を起点としてループが形成される。このため，本発明の第２形態と同様，対向するスリット１４’に挿通した紐状部材２０が，開口部の上方に小ループ２２を形成する。
【００４５】
さらに，本発明の第３形態では，対向するスリット１４’に挿通した紐状部材２０を開口部１１の上方へ引っ張ることで，スリット１４’，１４間の緩みがなくなり，開口部１１を閉じることができる。このため，収納物が袋体から飛び出す事態を防ぐことができる。この際，開口部１１はほぼ隙間なく閉じられるため，本発明の第３形態における小ループの長さ及び開口面積は，本発明の第２形態と比べてほぼ変化がない。したがって，袋体の形態を本発明の第２形態からほとんど変えることなく，袋体を手に提げて使用することができる。
【００４６】
以上のように，本発明の第３形態においては，対向するスリット１４’に挿通した紐状部材２０は，開口部１１の上方に小ループ２２を形成するとともに，開口部１１を閉じる。そして，小ループ２２を握ることにより，袋本体１０の開口部１１を閉じた状態で，手提げタイプの袋体として使用することができる。
【００４７】
本発明の第３形態において，図５及び図６に示されるようにスリット１４，１４’の両端部に幅広孔部１４ｂ，１４ｃ，１４’ｂ，１４’ｃを設けた場合，スリット１４，１４’に挿通した紐状部材２０を開口部１１の上方へ引っ張った際に，小ループ２２の起点をずれにくくすることができる。また，スリット１４，１４’を袋本体１０の下方に向かって突出するように屈折したＶ字形状とした場合，小ループ２２の起点をＶ字形状の両端で留めることができる。スリット１４，１４’を上記のような構成とすることにより，小ループ２２の保形性を高めることができる。このため，例えば袋体を手に提げて収納物を運搬している場合でも，袋体の安定性を高めることができる。
【００４８】
（５．スリットの形状について）
ここで，袋体の前後一対の長側面１０ａ，１０ｂに形成するスリット１４，１４’の形状について説明する。本発明において，スリットの形状は特に限定されるものではないが，例えば図７に示す形状を採用することができる。図７（ａ）に示すスリット１４は，中間部１４ａよりも開口面積の広がった幅広孔部１４ｂ，１４ｃを両端部分に設け，かつ幅広孔部１４ｂ，１４ｃの形状を半円状の孔としたものである。また，図７（ｂ）に示すスリット１４は，幅広孔部１４ｂ，１４ｃを設けずに形成したものである。また，図７（ｃ）に示すスリット１４は，袋本体１０に切れ込みを設けることで中間部１４ａ形成しつつ，中間部１４ａよりも開口面積の広がった幅広孔部１４ｂ，１４ｃを両端部分に設け，かつ幅広孔部１４ｂ，１４ｃの形状を円状の孔としたものである。また，図７（ｄ）に示すスリット１４は，中間部１４ａよりも開口面積の広がった幅広孔部１４ｂ，１４ｃを両端部分に設け，かつ幅広孔部１４ｂ，１４ｃの形状を円状の孔としたものである。また，図７（ｅ）に示すスリット１４は，袋本体１０の下方に向かって突出するように屈折したＶ字形状で形成したものである。
【００４９】
（６．第１形態及び第２形態の使い分け）
上記に説明したとおり，本発明の袋体によれば，２つの紐取付部１２，１３の間にスリット１４を設けることにより，紐状部材２０が大ループ２１を形成する第１形態と，スリット１４に挿通した紐状部材２０が小ループ２２を形成する第２形態とを，自由に使い分けることができる。このため，本発明の袋体によれば，手提げ紐を肩に掛けるタイプの袋体と，手提げタイプの袋体とを，自由に使い分けることができる。
【００５０】
図８は，本発明の袋体の使い分けを示す概略図である。図８に示されるように，手提げ紐を肩に掛けるタイプの袋体（ａ）を使用している際に手提げタイプの袋体を使用したくなった場合は，袋体の紐状部材をスリットに挿通し，開口部の上方へループを引っ張ることにより（ｂ），手提げタイプの袋体（ｃ）に容易に変形することができる。また，手提げタイプの袋体（ｃ）を使用している際に手提げ紐を肩に掛けるタイプの袋体を使用したくなった場合は，袋体の紐状部材をスリットから抜き，ループを引き抜くことにより（ｂ），手提げ紐を肩に掛けるタイプの袋体（ａ）に容易に変形することができる。
【００５１】
このように，本発明の袋体によれば，袋体の使い分けにあたって手提げ紐を取り換える必要がなく，しかも袋体の収納量を変える必要もない。このため，袋体を使用する状況を選ぶことなく，自由に袋体を使い分けることができる。
【産業上の利用可能性】
【００５２】
本発明は，手提げ紐付き袋体に関する。このため，製袋産業などにおいて好適に利用することができる。
【符号の説明】
【００５３】
１０  袋本体
１０ａ，１０ｂ  長側面
１０ｃ，１０ｄ  短側面
１０ｅ  底面
１１  開口部
１２  紐取付部
１３  紐取付部
１４  スリット
１４ａ  中間部
１４ｂ，１４ｃ  幅広孔部
２０  紐状部材
２１  大ループ
２２  小ループ
１００  袋体
【図１】
2014064813.tif 000003
【図２】
2014064813.tif 000004
【図３】
2014064813.tif 000005
【図４】
2014064813.tif 000006
【図５】
2014064813.tif 000007
【図６】
2014064813.tif 000008
【図７】
2014064813.tif 000009
【図８】
2014064813.tif 000010
【図９】
2014064813.tif 000011